(57)【要約】【課題】  レジが休止中であることを客に明確に表示でき、使い勝手のよい休止レジの表示装置を提供する。【解決手段】  休止レジであることを表示した表示パネル７と、レジカウンタ２の上方空間に臨出する表示位置と、レジカウンタ２の内側方に後退した格納位置との間で前記表示パネル７を水平面内で回動可能に支持する支持手段８とを備え、表示位置の表示パネル７が格納位置に向かって回動する方向は、前記レジ１を通過する客の流れ方向ａに設定されている。【選択図】      図１
2005099407.tif 000002
【特許請求の範囲】
【請求項１】
互いに並設された複数のレジにおける隣接するレジカウンタ間のレジ通路を使用する客に休止レジを知らせるための休止レジの表示装置であって、
休止レジであることを表示した表示パネルと、
前記レジカウンタの上方空間に臨出する表示位置と、表示位置から前記レジカウンタの内側方の格納位置との間で前記表示パネルを水平面内で回動可能に支持する支持手段とを備え、
表示位置の表示パネルが格納位置に向かって回動する方向は、前記レジを通過する客の流れ方向に設定されていることを特徴とする休止レジの表示装置。
【請求項２】
前記支持手段は、前記表示パネルに対して表示位置および格納位置でそれぞれ節度を与える節度機構を備えている請求項１に記載の休止レジの表示装置。
【請求項３】
前記支持手段は、前記客の流れ方向に水平面内で直交する方向に対して客の流れ方向下流側へ一定角度だけ変位した位置を、前記表示パネルの表示位置として設定する表示位置規制部材を有している請求項１または２に記載の休止レジの表示装置。
【発明の詳細な説明】
【技術分野】
【０００１】
この発明は、スーパーマーケットなどのセルフサービスによる販売方式を採る店舗における複数のレジに設置される休止レジの表示装置に関する。
【技術背景】
【０００２】
スーパーマーケットのような店舗では、互いに並列する複数のレジがあり、商品を選択して買い物かごに入れた客は、支払いのためにいずれかのレジに向かう。各レジは、店舗の業務上や店員の都合により休止することがあり、店員をそのレジが休止中であることを客に表示する必要がある。
【０００３】
従来、多くの店舗では、レジを休止する時に、店員がレジカウンタ上に空の買い物かごを横倒しにして置いてレジ休止を示していたが、この方法では、当該レジが休止であることが客に分かりにくく、不評であった。
【０００４】
このため、休止レジである旨が記されたパネル形や三角錐形の表示体をレジカウンタ上に置く方法が普及している。
【発明の開示】
【発明が解決しようとする課題】
【０００５】
しかしながら、前記表示体をレジカウンタ上に置く場合は、表示体が不用意にレジカウンタから落下し、置き直さなければならない煩わしさがあるうえ、表示体が壊れやすいという問題がある。
【０００６】
この発明の課題は、レジ休止中であることを客に明確に表示でき、壊れにくく、使い勝手のよい休止レジの表示装置を提供することにある。
【課題を解決するための手段】
【０００７】
請求項１の発明は、互いに並設された複数のレジにおける隣接するレジカウンタ間のレジ通路を使用する客に休止レジを知らせるための休止レジの表示装置であって、休止レジであることを表示した表示パネルと、前記レジカウンタの上方空間に臨出する表示位置と、表示位置から前記レジカウンタの内側方の格納位置との間で前記表示パネルを水平面内で回動可能に支持する支持手段とを備え、表示位置の表示パネルが格納位置に向かって回動する方向は、前記レジを通過する客の流れ方向に設定されていることを特徴とする休止レジの表示装置に係わるものである。
【０００８】
請求項２の発明は、前記支持手段が、前記表示パネルに対して表示位置および格納位置でそれぞれ節度を与える節度機構を備えている請求項１に記載の休止レジの表示装置に係わるものである。
【０００９】
請求項３の発明は、前記支持手段が、前記客の流れ方向に水平面内で直交する方向に対して客の流れ方向下流側へ一定角度だけ変位した位置を、前記表示パネルの表示位置として設定する表示位置規制部材を有している請求項１または２に記載の休止レジの表示装置に係わるものである。
【発明の効果】
【００１０】
以上のように、請求項１の発明によれば、休止レジを示す表示パネルをレジカウンタの上方空間に臨出する表示位置と、該レジカウンタの内側方に後退した格納位置との間で水平面内で回動可能に支持したから、レジ休止中に表示パネルを表示位置に設定しておけば、レジに至った客が表示パネルを見て当該レジが休止中であることを直ぐに把握できることはもとより、表示パネルがレジカウンタから落下して壊れることもないし、表示パネルを置き直す手間なども要らず、扱いやすくなる。
【００１１】
さらに、表示位置の表示パネル７が格納位置に向かって回動する方向は、前記レジを通過する客の流れ方向に設定されていることから、表示位置の表示パネルにレジを通過する客が接触した際に、該表示パネルが客の流れ方向へ回動し、客のレジ通過を妨げるおそれもない。
【００１２】
また、請求項２の発明によれば、表示パネルに対して表示位置および格納位置でそれぞれ節度が与えられるようにしたから、店員は表示パネルを回動操作した際の節度感から表示パネルが表示位置もしくは格納位置に達したことを容易に把握できる他、表示パネルが前記表示位置もしくは格納位置に的確に保持される。
【００１３】
さらに、請求項３の発明によれば、客の流れ方向に水平面内で直交する方向に対して客の流れ方向下流側へ一定角度もって変位した位置を、前記表示パネルの表示位置として設定したから、表示位置にある表示パネルにレジを通過する客が接触しても、該表示パネルが客流れ方向へ回動し、客への衝撃も少ない。
【発明を実施するための最良の形態】
【００１４】
以下、この発明の実施形態を図面に基づいて説明する。
【００１５】
図１は、この発明の実施形態にかかる休止レジの表示装置が適用されたレジ付近の斜視図、図２は休止レジの表示装置を表示パネルの取り外し状態で示す斜視図である。
【００１６】
図１および図２において、店舗内の所定箇所には、複数のレジ１…が並設されている。各レジ１は、客が商品が入った買い物かごを載せるレジカウンタ２と、このレジカウンタ２における客流れ方向（矢印ａ方向）の略中央位置に配置された商品コード読み取り装置３と、レジカウンタ２の客流れ方向下流端側に設置されたレジスター装置４を備えており、前記隣合うレジカウンタ２間の空間がレジ通路Ｒとなっている。
【００１７】
前記レジカウンタ２の上流側端の近傍に配置された仕切り板５の正面側には、電池などの日常的に使う商品Ｎの陳列棚９が配置されている。
【００１８】
前記レジカウンタ２の上流端近傍には、レジ１が休止中であることを客に示すための表示装置６が配設されている。
【００１９】
前記休止レジの表示装置６は、表示パネル７と、この表示パネル７を水平面内で回動可能に支持する支持部８とを備えている。
【００２０】
前記表示パネル７は、例えばアクリル樹脂などから薄板状に形成されており、その表面（客の流れ方向上流側面）には、客にレジが休止である旨を表わす字句Ｐ、例えば「只今、レジ休止中です。」が記されている。なお、表示パネル７は、アクリル樹脂に限定されず、他の合成樹脂、木材、金属板等、種々の材料を採用できる。
【００２１】
前記支持部８は、取り付けフレーム１１と、この取り付けフレーム１１に表示パネル７を連結・枢支する上下一対の蝶番１２，１２と、表示パネル７に対する表示位置規制部材１３と、前記表示パネル７に対して表示位置および格納位置のそれぞれで節度を与える節度機構１４とを備えている。
【００２２】
前記取り付けフレーム１１は、例えば横断面がコ字形の金属剛性材などからなり、前記仕切り板５の背面側に垂直姿勢でねじ（図示せず）などにより堅固に固定されている。
【００２３】
前記上下一対の蝶番１２，１２は、前記取り付けフレーム１１の上下方向で所定間隔存して配設されるとともに、表示パネル７の基端部７ａと前記取り付けフレーム１１とに跨がった状態で複数のねじ２０…などでそれぞれに固定されて、前記表示パネル７を取り付けフレーム１１に回動可能に連結・枢支している。これにより、前記表示パネル７は、レジカウンタ２の内側方へ後退した格納位置（図３）と、レジカウンタ２の上方空間に臨出する表示位置（図４）との間で水平面内で回動可能に支持されており、表示位置の表示パネル７が格納位置に向かって回動する方向は、前記レジ１を通過する客の流れ方向に設定されている。
【００２４】
前記表示位置規制部材１３は、例えば基辺部１３ａと基辺部１３ａに対して鋭角度θ、例えば３０°をもった斜辺部１３ｂとからなる横断面形状が略Ｖ形の金属材で構成されている。
【００２５】
この表示位置規制部材１３は、前記斜辺部１３ｂにより、客流れ方向と水平面内で直交する方向に対して前記角度θだけ客流れ方向の下流側へ変位した位置が表示位置として設定されるように、その基辺部１３ａが前記取り付けフレーム１１にねじないしは溶接などの周知手段で固定されている。勿論、前記表示位置規制部材１３は、前記取り付けフレーム１１の後壁の一部を切り起こし形成したもので構成することも可能であり、その場合、部品点数が削減される。
【００２６】
前記節度機構部１４は、例えば表示位置用節度部１４Ａと、格納位置用節度部１４Ｂとから構成されている。
【００２７】
前記表示位置用節度部１４Ａは、例えば図３および図４に示すように前記表示パネル７における基端部７ａの表面に固定されたシート状マグネット１５と、前記表示位置規制部材１３における斜辺部１３ｂの外面に固定されて、表示パネル７が前記表示位置に回動変位した際に前記シート状マグネット１５に磁気的に吸着するシート状マグネット１６とからなる。勿論、シート状マグネット１６は、前記斜辺部１３ｂが磁性材料であれば、前記表示パネル７側のみにシート状マグネット１５を設けた構成であってもよく、また、表示パネル７が磁性材で構成されていれば、斜辺部１３ｂ側のみにシート状マグネット１６を設けた構成であってもよい。
【００２８】
他方、格納位置用節度部１４Ｂは、例えば前記表示パネル７における基端部７ａの裏面に固定されたシート状マグネット１７と、前記仕切り板５の裏面側に設けられて、表示パネル７が前記格納位置に回動変位した際に前記シート状マグネット１７に磁気的に吸着する磁性体１８とからなる。勿論、表示パネル７側が磁性材で構成されていれば、前記仕切り板５の裏面側に前記マグネット１７を設ける構成であってもよい。
【００２９】
つぎに、上記構成の休止レジの表示装置の使用手順を説明する。
【００３０】
店員がレジを休止にしたい時には、図３の格納位置にある表示パネル７を、前記格納位置用節度部１４Ｂにおけるシート状マグネット１７と磁性体１８との磁気的吸着力に抗して、矢印ｂ方向へ回動操作すれば、前記表示プレート７が蝶番１２，１２を支点にして水平面内で図４に示す表示位置まで回動する。
【００３１】
表示パネル７が前記表示位置まで回動すると、この表示パネル７が前記表示位置規制部材１３の斜辺部１３ｂに当たり、これ以上の回動が阻止される。そして、この表示位置では、表示パネル７側のシート状マグネット１５と前記斜辺部１３ｂ側のシート状マグネット１６が磁気的に吸着し、表示パネル７が節度的に該表示位置に保持される。この時の節度音などにより、店員は、表示パネル７が確実に表示位置に設定されたことが分かる。
【００３２】
さらに、前記表示位置の表示パネル７は、前記シート状マグネット１５，１６の磁気的吸着力により、表示位置に安定状態で位置決め保持される。
【００３３】
前記表示位置まで回動した前記表示パネル７は、レジカウンタ２を上方空間に臨出して、その表面が客流れ方向の上流側に向くことになり、客にそのレジが休止であることを容易に示すことができ、また、この表示パネル７が前記支持部８に支持されているから、レジカウンタ２から落下して壊れるようなこともなく安心して使用できる。
【００３４】
ところで、前記表示パネル７を上方格納位置と下方表示位置との間で垂直面内で回動可能に支持させることも考えられるが、その場合、上方格納位置から表示パネル７を下方表示位置まで回動させる際に、店員が表示パネル７の回動を補助しないと、表示パネル７が自重落下で勢いよく降下するおそれがあり、扱いにくく、また、表示パネル７が降りている時に、客が不用意に表示パネル７に当たった場合に、表示パネル７の逃げがなく、壊れるおそれがある。
【００３５】
この点について、この実施形態のように、表示パネル７を水平面内で回動可能に支持させることにより、店員が表示パネル７の回動を補助する必要がなく、扱いやすし、レジ通路Ｒを通過しようとした客などに不用意に客が当たった際でも、表示パネル７が矢印ｃ方向へ回動変位し、壊れたりするおそれがない。
【００３６】
前記表示パネル７を、表示位置で前記客流れ方向と水平面内でちょうど直交する方向に沿って設定することも可能であるが、その場合、レジ通路Ｒを通過しうとした客が不用意に表示パネル７に当たってしまうと、その衝撃が大きい。
【００３７】
ところが、この例のように、表示位置での表示パネル７を前記角度θだけ客流れ方向の下流側へ変位した位置を表示位置として設定してあると、レジ通路Ｒを通過しようとした客が不用意に当たった場合でも、表示パネル７が矢印ｃ方向へ変位しやすく、客への衝撃もほとんどなく、一方表示パネル７が損傷するおそれもない。
【００３８】
上記角度θは、３０°に限らないが、あまり角度θが大きくなると、表示パネル７の表示面がレジ１に向かう客から斜めになって見にくくなるので、このことを考慮して適宜角度θを選択設定すればよい。
【００３９】
店員が休止中だったレジを再開する時には、図４の表示位置にある表示パネル７を、前記表示位置用節度部１４Ａにおけるシート状マグネット１５，１６の磁気的吸着力に抗して、矢印ｃ方向へ回動操作すれば、前記表示パネル７が蝶番１２，１２を支点にして水平面内で図３に示す格納位置まで回動する。
【００４０】
表示パネル７が格納位置まで回動すると、この表示パネル７側のシート状マグネット１５と前記仕切り板５側の磁性体１８とが磁気的に吸着し、表示パネルが節度的に該格納位置に保持される。この時、シート状マグネット１５と磁性体１８とが磁気的に吸着した時の節度音により、店員は、表示プレート７が確実に格納位置に設定されたことが分かり、表示パネル７もがたつくことなく、この格納位置に静止保持される。
【００４１】
ところで、前記実施形態では、表示位置用節度部１４Ａおよび格納位置用節度部１４Ｂを磁気的吸着手段で構成したが、これに限らず、例えばΩ形の係合部材と、これに係脱可能に弾性的に係合するローラ式係止部材とからなる、いわゆるローラキャッチなどの機械的係合手段を用いることも可能である。
【図面の簡単な説明】
【００４２】
【図１】この発明の形態にかかる休止レジの表示装置が適用されたレジ付近の斜視図である。
【図２】休止レジの表示装置を表示パネルの取り外し状態で示す斜視図である。
【図３】同じく休止レジの表示装置を表示パネルの格納状態で示す平面断面図である。
【図４】同じく休止レジの表示装置を表示パネルの表示位置進出状態で示す平面断面図である。
【符号の説明】
【００４３】
１・・・・レジ
２・・・・レジカウンタ
７・・・・表示パネル
８・・・・支持手段
１３・・・表示位置規制部材
１４・・・節度機構
ａ・・・・客の流れ方向
Ｒ・・・・レジ通路
θ・・・・角度
【図１】
2005099407.tif 000003
【図２】
2005099407.tif 000004
【図３】
2005099407.tif 000005
【図４】
2005099407.tif 000006